【事件の表示】
　特願２０００−１５７０８６「アイコンによる印刷制御操作システム」拒絶査定不服審判事件〔平成１３年１２月　７日出願公開、特開２００１−３３７７６５〕について、次のとおり審決する。
【結　論】
　本件審判の請求は、成り立たない。
【理　由】
第１　手続の経緯
　本願は、平成１２年５月２６日の出願であって、平成１６年１２月１日付けの拒絶の理由の通知に対して、平成１７年２月４日付けで意見書及び手続補正書が提出されたが、平成１８年３月２０日付けで拒絶査定がされ、これに対して、同年４月２７日に拒絶査定不服審判が請求されるとともに、同年５月２３日付けで手続補正がなされ、平成２０年７月１７日付けの審尋に対して、平成２０年９月４日付けの回答があったものである。
　
第２　平成１８年５月２３日付けの手続補正についての補正却下の決定
［補正却下の決定の結論］
　平成１８年５月２３日付けの手続補正（以下、「本件補正」という。）を却下する。
　
［理由］
１．本件補正後の本願発明
　本件補正により、特許請求の範囲は、
「【請求項１】
  プリント条件があらかじめ設定されているプリントアイコンと、プリントすべきファイルのファイルアイコンとが表示された表示画面上で、上記ファイルアイコンをドラッグして、プリントアイコン上にドロップすることによって、そのプリントアイコンに設定されている印刷条件下で上記ファイルの印刷処理が実行されるアイコンによる印刷操作システムにおいて、
  上記プリントアイコンは、当該プリントアイコンに予め設定されているプリント条件が認識可能な表示形式で上記表示画面上に表示され、上記プリントアイコンにプリントすべきファイルアイコンが重ねられた時点で、上記表示画面上に当該プリントアイコンに設定されているプリント条件がウインドウ表示されるとともに、上記プリントアイコンにプリントすべきファイルのファイルアイコンがドラッグ・アンド・ドロップされた場合に、このプリントアイコンに設定されている印刷条件によりプリントすべきファイルの印刷処理が実行されることを特徴とするアイコンによる印刷制御操作システム。
【請求項２】
  上記プリントアイコンにプリントすべきファイルアイコン重ねられた場合に、当該ファイルアイコンの印刷のプレビューが表示されることを特徴とする請求項１に記載のアイコンによる印刷制御操作システム。
【請求項３】
  上記プリントアイコンにプリントすべきファイルアイコンがドラッグ・アンド・ドロップされた場合に、このプリントアイコンの印刷条件を設定するためのウインドウが開かれ、このプリントアイコンの印刷条件の設定を可能とすることを特徴とする請求項１に記載のアイコンによる印刷制御操作システム。
【請求項４】
  上記プリントアイコンにプリントすべき複数のファイルアイコンがドラッグ・アンド・ドロップされた場合に、これらのファイルを一連の記録物として連続的に印刷処理ことを特徴とする請求項１に記載のアイコンによる印刷制御操作システム。
【請求項５】
  上記プリントアイコンにファイルアイコンがドラッグ・アンド・ドロップされた場合に、当該プリントアイコンに設定されたプリント条件に基づいて印刷処理が可能なプリンタが、自動的に選択されることを特徴とする請求項１に記載のアイコンによる印刷制御操作システム。
【請求項６】
  上記プリントアイコンにファイルアイコンがドラッグ・アンド・ドロップされた場合に、当該プリントアイコンに設定されたプリント条件に基づいて印刷処理が可能なプリンタが、待機中にあるプリンタの中から自動的に選択されることを特徴とする請求項５に記載のアイコンによる印刷制御操作システム。
【請求項７】
  上記プリントアイコンには、このプリントアイコンの設定条件の一つとして使用すべきプリンタが設定されているとともに、当該システム内においてそのプリンタの状態が監視されており、そのプリンタの状況が上記プリントアイコンにおいて設定されている処理を実行できない状態にある場合には、上記プリントアイコンが表示されないよう制御されていることを特徴とする請求項３に記載のアイコンによる印刷制御操作システム。」
　
　と補正された。なお、請求項１には、「印刷条件下で上記フアィルの印刷処理が実行されるアイコンによる印刷操作システムにおいて、」と記載されていたが、前後の記載から、「フアィル」は「ファイル」の誤記と認め、請求項１に係る発明を上記のように認定した。
　
　上記補正は、本件補正前の請求項２を削除し、請求項１に係る発明の、「プリントアイコン」について、「プリントアイコンにプリントすべきファイルアイコンが重ねられた時点で、上記表示画面上に当該プリントアイコンに設定されているプリント条件がウインドウ表示されるとともに、上記プリントアイコンにプリントすべきファイルのファイルアイコンがドラッグ・アンド・ドロップされた場合に、このプリントアイコンに設定されている印刷条件によりプリントすべきファイルの印刷処理が実行される」と限定するものであって、特許法第１７条の２第４項第２号の限定的減縮を目的とするものに該当する。
　そこで、本件補正後の請求項１に係る発明（以下、「本願補正発明」という。）が特許出願の際独立して特許を受けることができるものであるか（特許法第１７条の２第５項において準用する同法第１２６条第５項の規定に適合するか）について以下、検討する。
　
２．刊行物の記載
　原査定の拒絶の理由に引用された、特開平１０−３２６１６７号公報（以下、「刊行物」という。）には、図面とともに以下の事項が記載されている。
　
Ａ．「【００１６】
【発明の実施の形態】以下、本発明の実施の形態を図面に基づいて説明する。
【００１７】図２は本発明の一実施形態に係るプリントシステムの構成図である。
【００１８】図２に示すように、ホストコンピュータ１にネットワーク３を介して複数台、例えば２台、のプリンタ５Ａ，５Ｂが接続されている。ホストコンピュータ１では、固定ディスクのような適当なストレージに、それらプリンタ５Ａ，５Ｂ用のプリンタドライバ２７Ａ，２７Ｂがインストールされている。また、ホストコンピュータ１の同ストレージには、幾つかの文書ファイル３１，３３，３５，３７，３９も保存されている。
【００１９】プリンタドライバ２７Ａ，２７Ｂはそれぞれ、各々が何等かの文書ファイルに対して以前に使用したことがある印刷設定値を保管している。例えば図２では、プリンタ５Ａ用のプリンタドライバ２７Ａは、そのプリンタドライバ２７Ａが以前に使用したことがある設定値Ａ１，Ａ２，Ａ３，Ａ４を保管している。また、プリンタ５Ｂ用のプリンタドライバ２７Ｂは、そのプリンタドライバ２７Ｂが以前に使用したことがある設定値Ｂ１，Ｂ２，Ｂ３，Ｂ４を保管している。このように、印刷の設定値は、文書ファイルからは独立してプリンタドライバ２７Ａ，２７Ｂによって保管されている。ここで、「使用したことがある設定値」とは、典型的には、文書の印刷で実際に使用したことがある設定値を意味するが、それだけでなく、その設定値を文書を印刷するために設定したが、印刷は実行しなかった場合の設定値もこれに含めてもよい。
【００２０】さらに、プリンタドライバ２７Ａ，２７Ｂは、それぞれが保管する設定値と、その設定値を以前に使用したことがある文書ファイルの名称（ディレクトリとファイル名）とを対応付けた対応テーブル４１Ａ，４１Ｂを保管している。例えば図２の例では、プリンタドライバ２７Ａは、文書ファイル３１に設定値Ａ１とＡ４を、文書ファイル３３に設定値Ａ１を、文書ファイル３５に設定値Ａ２を、文書ファイル３７に設定値Ａ３をそれぞれ使用したことがある。よって、この対応関係が対応テーブル４１Ａに示されている。また、プリンタドライバ２７Ｂは、文書ファイル３３に設定値Ｂ１を、文書ファイル３５に設定値Ｂ２を、文書ファイル３７に設定値Ｂ３を、また、ホストコンピュータ１から既に消去された図示しない文書ファイルに設定値Ｂ４をそれぞれ使用したことがある。よって、この対応関係が対応テーブル４１Ｂに示されている。尚、図中の文書ファイル３９は、この文書ファイル３９に関してプリンタドライバ２７Ａ，２７Ｂが今まで一度も呼び出されたことがないため（又は、文書ファイル３９に関するデータが対応テーブル４１Ａ，４１Ｂからユーザによって既に消去されているため）、この文書ファイル３９は対応テーブル４１Ａ，４１Ｂには載っていない。
【００２１】このように、対応テーブル４１Ａ，４１Ｂを介して、各文書ファイル３１，３３，３５，３７は設定値Ａ１，Ａ２，Ａ３，Ａ４，Ｂ１，Ｂ２，Ｂ３と、図２の実線で示すように論理的に対応付けられている。例えば、文書ファイル３１は設定値Ａ１及びＡ４と対応付けられている。また文書ファイル３３は設定値Ａ１及びＢ１と対応付けられている。また文書ファイル３５は設定値Ａ２及びＢ２と対応付けられている。さらに文書ファイル３７は設定値Ａ３及びＢ３と対応付けられている。
【００２２】図３は、個々のプリンタドライバ２７Ａ、２７Ｂの処理フローを示し、図４は、その動作を説明するブロック図である。図３及び図４を参照してプリンタドライバの処理を説明する。
【００２３】プリンタドライバ２７（２７Ａ又は２７Ｂ）は、通常、アプリケーションプログラムが文書ファイルを作成した後、その文書を印刷するときにアプリケーションプログラムによって起動される（ステップＳ１）。
【００２４】プリンタドライバ２７はまず、ユーザが印刷の設定値を新たに設定する選択を行ったか否か判断する（Ｓ２）。設定値を新たに設定する場合は（Ｓ２でＹ）、ユーザのマウス又はキーボード５３の操作に従って新たな設定値を決め、その新たな設定値に名称を付けて固定ディスク５５に保存し、かつ、その設定値名（ディレクトリ＋ファイル名）とその文書ファイル名（ディレクトリ＋ファイル名）とを固定ディスク５５上の対応テーブル４１（４１Ａ又は４１Ｂ）に記入する。
【００２５】例えば、文書ファイル３１を印刷するとき、新たな設定値Ａ１として「用紙方向＝ポートレート、ページサイズ＝Ａ４、解像度＝６００ｄｐｉ、色変換テーブル＝＃１」という設定がなされたとする。すると、図４に示すように、プリンタドライバ２７は、「用紙方向＝ポートレート、ページサイズ＝Ａ４、解像度＝６００ｄｐｉ、色変換テーブル＝＃１」という内容の新設定値Ａ１を、「ＦＡ１・ＥＪＬ」というファイル名で固定ディスク５５に保存し、また、対応テーブル４１に、文書ファイル３１のディレクトリ＋ファイル名「ＦＯ１．ＴＸＴ」と、設定値Ａ１のディレクトリ＋ファイル名「ＦＡ１・ＥＪＬ」とを対応付けて記入する。
【００２６】続いて、プリンタドライバ２７は、その新たな設定値に従って文書をプリンタに印刷させるために、アプリケーションからの文書ファイルを処理して印刷データを生成し（Ｓ４）、この印刷データをプリンタに送信する（Ｓ９）。
【００２７】一方、ステップＳ２でユーザが新規設定を選択しない場合（Ｓ２でＮ）は、既存の設定値を使用するために、まず、固定ディスク５５から対応テーブル４１の内容を読み込み、そこに登録されている既存の設定値と対応する文書ファイル名のリストをディスプレイ５１に表示する（Ｓ５）。このとき、さらに、設定値のファイルも固定ディスク５５から読み込んで、ユーザがリスト上で特定の設定値をカーソルで指したなら、その設定値の具体的内容、例えば「用紙方向＝ポートレート、ページサイズ＝Ａ４、解像度＝６００ｄｐｉ、色変換テーブル＝＃１」も表示するようにしてもよい。
【００２８】その後、この設定値リスト上でユーザが特定の設定値が選択したならば（Ｓ６でＹ）、プリンタドライバ２７は、もし、その選択された設定値とその文書ファイルとが未だ対応テーブル４１上で対応付けられていなければ、その選択された設定値とその文書ファイルとを対応づけるための情報を対応テーブル４１に追加する（Ｓ７）。例えば、文書ファイル３１を印刷するときに、別の文書ファイルに対応付けられている既存の設定値Ａ２をユーザが選択したとすると、対応テーブル４１上で文書ファイル３１のディレクトリ＋ファイル名「ＦＯ１．ＴＸＴ」に設定値Ａ２のディレクトリ＋ファイル名「ＦＡ２・ＥＪＬ」とが関係付けられるように、例えば図４に示すように追加の記入を行う。続いて、プリンタドライバ２７は、その選択された設定値Ａ２に従って、文書ファイル３１をプリンタに印刷させるために、アプリケーションから渡されたその文書ファイル３１のデータを処理して印刷データを生成し（Ｓ４）、この印刷データをプリンタに送信する（Ｓ９）。」
　
Ｂ．「【００３９】設定値のリスト表示の仕方には種々のバリエーションが採用し得る。例えば図２に示した構成において、文書作成アプリケーション上で、ファイルメニューからユーザが「印刷」を選択すると、利用できるプリンタドライバ２７Ａ，２７Ｂのリストが表示され、その中から例えばプリンタドライバ２７Ａを指定すると、設定値Ａ１，Ａ２，Ａ３，Ａ４のリストが表示される、という表示態様は最も標準的であろう。
【００４０】一方、そのような表示態様に代えて、設定値Ａ１，Ａ２，Ａ３，Ａ４，Ｂ１，Ｂ２，Ｂ３，Ｂ４の各々が独立したプリンタドライバであるかのようにユーザに見せる表示態様も可能である。例えば、アプリケーションのファイルメニューから「印刷」を選択すると、仮想的なプリンタドライバＡ１，Ａ２，Ａ３，Ａ４，Ｂ１，Ｂ２，Ｂ３，Ｂ４のリストが表示されるのである。そして、そのリストから例えばＡ１を指定すれば、プリンタドライバ２７Ａによる設定値Ａ１を用いた印刷処理（図３のステップＳ６のＹ以下の処理）が直ちに開始されるのである。また、この仮想プリンタドライバリスト内に、実際のプリンタドライバ２７Ａ，２７Ｂも同様に表示して、実際のプリンタドライバの方をユーザが指定した場合には、そのドライバ上で設定値を新規に設定する処理（図３のステップＳ２のＹ以下の処理）に入るようにしてもよい。
【００４１】また、グラフィックユーザインタフェース上で、設定値Ａ１，Ａ２，Ａ３，Ａ４，Ｂ１，Ｂ２，Ｂ３，Ｂ４の各々が独立したプリンタドライバの如くのアイコンで表示されており、例えば設定値Ａ１のアイコンに文書ファイルのアイコンをドラッグ・アンド・ドロップすると、プリンタドライバ２７Ａによる設定値Ａ１を用いた印刷処理を開始できるようにすることも可能である。この場合、設定値を新規に設定して印刷処理を行うためのアイコンも別に用意してもよい。
【００４２】このように設定値の各々を独立したプリンタドライバであるかのようにユーザに見せる機能は、プリンタドライバ自体が備えていてもよいし、あるいは、ホストコンピュータのＯＳやアプリケーションが備えていてもよい。」
　
　以上の記載によれば、刊行物には、次の発明（以下、「刊行物発明」という。）が記載されている。
「プリンタドライバ２７Ａは、そのプリンタドライバ２７Ａが以前に使用したことがある印刷の設定値Ａ１，Ａ２，Ａ３，Ａ４を保管し、
　文書ファイル３１を印刷するときに、設定値Ａ２をユーザが選択したとすると、対応テーブル４１上で文書ファイル３１のディレクトリ＋ファイル名「ＦＯ１．ＴＸＴ」に設定値Ａ２のディレクトリ＋ファイル名「ＦＡ２・ＥＪＬ」とが関係付けられるように、追加の記入を行い、プリンタドライバ２７は、その選択された設定値Ａ２に従って、文書ファイル３１をプリンタに印刷させるために、アプリケーションから渡されたその文書ファイル３１のデータを処理して印刷データを生成し（Ｓ４）、この印刷データをプリンタに送信し（Ｓ９）、
　グラフィックユーザインタフェース上で、設定値Ａ１，Ａ２，Ａ３，Ａ４の各々が独立したプリンタドライバの如くのアイコンで表示され、例えば設定値Ａ１のアイコンに文書ファイルのアイコンをドラッグ・アンド・ドロップすると、プリンタドライバ２７Ａによる設定値Ａ１を用いた印刷処理を開始できるようにした、
プリントシステム」
　
３．対比
　本願補正発明と刊行物発明を対比すると、刊行物発明のプリンタドライバ２７Ａは、そのプリンタドライバ２７Ａが以前に使用したことがある印刷の設定値Ａ１，Ａ２，Ａ３，Ａ４を保管し、例えば設定値Ａ１のアイコンに文書ファイルのアイコンをドラッグ・アンド・ドロップすると、プリンタドライバ２７Ａにより設定値Ａ１を用いた印刷処理を開始できるようにされており、上記設定値Ａ１，Ａ２，Ａ３，Ａ４はアイコンとして表示され、文書ファイルをアイコンにドラッグ・アンド・ドロップすることにより印刷処理の実行を行うものである。印刷の設定値はプリント条件に対応するから、上記設定値を表示するアイコンは、本願補正発明のプリント条件が予め設定されているプリントアイコンと、印刷をするときのプリント条件の指示をするものである点で一致する。
　刊行物発明の設定値Ａ１，Ａ２，Ａ３，Ａ４はアイコンとして表示されており、文書ファイルとともに表示されることは明らかである。
　刊行物発明は印刷処理に関するシステムであるから、本願補正発明の、印刷制御システムといえる。
　
　したがって、両者の一致点、相違点はつぎのとおりである。
　
［一致点］
　プリント条件の指示をするプリントアイコンと、プリントすべきファイルのファイルアイコンとが表示された表示画面上で、上記ファイルアイコンをドラッグして、プリントアイコン上にドロップすることによって、そのプリントアイコンに設定されている印刷条件下で上記ファイルの印刷処理が実行されるアイコンによる印刷操作システムにおいて、
  上記プリントアイコンにプリントすべきファイルのファイルアイコンがドラッグ・アンド・ドロップされた場合に、このプリントアイコンに設定されている印刷条件によりプリントすべきファイルの印刷処理が実行されることを特徴とするアイコンによる印刷制御操作システム。
　
［相違点１］
　本願補正発明の「プリントアイコン」には、プリント条件があらかじめ設定されているのに対して、刊行物発明の設定値はアイコンとして表示されるが、設定値はプリンタドライバが保管しており、この設定値は、以前に使用したことがある印刷設定値である点。
　
［相違点２］
　本願補正発明の「プリントアイコン」は、「プリントアイコンに予め設定されているプリント条件が認識可能な表示形式で上記表示画面上に表示され、上記プリントアイコンにプリントすべきファイルアイコンが重ねられた時点で、上記表示画面上に当該プリントアイコンに設定されているプリント条件がウインドウ表示される」のに対して、刊行物発明にはアイコンに、「プリント条件が認識可能な表示形式で上記表示画面上に表示」されることも、「プリントアイコンにプリントすべきファイルアイコンが重ねられた時点で、上記表示画面上に当該プリントアイコンに設定されているプリント条件がウインドウ表示される」ことも記載されていない点。
　
４．判断
４−１．［相違点１］について
　デフォルト値や初期値をあらかじめ設定しておくこと、すなわち設定値を事前に用意しておくことは技術常識であるから、刊行物発明において以前に使用したことがある印刷設定値の代わりに、プリント条件をアイコンにあらかじめ設定することは、当業者が適宜に実施することができたものである。また、プリント条件を、アイコンに設定するか、プリンタドライバが保管するかは単に記憶する場所が違うだけであり、どちらにするかは設計的事項である。
　
４−２．［相違点２］について
　アイコンを操作者が区別して認識する必要は当然であり、そのためにアイコンに、アイコンを表す名称や形状が付与することは技術常識であるし、刊行物発明においても設定値はＡ１、Ａ２、Ａ３、Ａ４のように複数あり、これらの設定値を区別する必要があることは明らかだから、アイコンをプリント条件が認識可能に表示することは、当業者が適宜に実施し得る。また、アイコンにカーソルを重ねた時に、アイコンの説明を表示する技術は周知（特開平８−１１５１９４号公報（段落００１９及び第４図参照）、特開平１０−３３５５号公報（段落００２２及び第７図参照））であるから、「プリントアイコンにプリントすべきファイルアイコンが重ねられた時点で、上記表示画面上に当該プリントアイコンに設定されているプリント条件がウインドウ表示される」ことは当業者が容易に想到し得ることである。
　
　また、本願補正発明の作用効果も、刊行物発明、周知技術及び技術常識から当業者が予測できる程度のものである。
　
　したがって、本願補正発明は、刊行物発明、周知技術及び技術常識に基づいて、当業者が容易に発明をすることができたものであるから、特許法第２９条第２項の規定により特許出願の際独立して特許をうけることができないものである。
　
５．むすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
　
第３　本願発明について
１．本願発明
　平成１８年５月２３日付けの手続補正は上記のとおり却下されたので、本願の請求項１に係る発明（以下、「本願発明」という。）は、平成１７年２月４日付け手続補正書の特許請求の範囲の請求項１に記載された事項により特定される、以下のとおりのものである。
　
「【請求項１】
  プリント条件があらかじめ設定されているプリントアイコンと、プリントすべきファイルのアイコンとが表示された表示画面上で、上記ファイルアイコンをドラッグして、プリントアイコン上にドロップすることによって、そのプリントアイコンに設定されている印刷条件下で上記フアィルの印刷処理が実行されるアイコンによる印刷操作システムにおいて、
  上記プリントアイコンは、当該プリントアイコンに予め設定されているプリント条件が認識可能な表示形式で上記表示画面上に表示されることを特徴とするアイコンによる印刷制御操作システム。」
　
２．刊行物の記載
　刊行物の記載事項は、前記「第２　平成１８年５月２３日付けの手続補正についての補正却下の決定」の「２．刊行物の記載」に記載したとおりである。
　
３．対比・判断
　本願発明は、前記「第２」の「１．本件補正後の本願発明」で検討した本願補正発明から、「プリントアイコンにプリントすべきファイルアイコンが重ねられた時点で、上記表示画面上に当該プリントアイコンに設定されているプリント条件がウインドウ表示されるとともに、上記プリントアイコンにプリントすべきファイルのファイルアイコンがドラッグ・アンド・ドロップされた場合に、このプリントアイコンに設定されている印刷条件によりプリントすべきファイルの印刷処理が実行される」との限定を省いたものである。
　そうすると本願発明の構成要件を全て含み、さらに他の構成要件を付加したものに相当する本願補正発明が、前記「第２」に記載したとおり、刊行物発明、周知技術及び技術常識に基づいて、当業者が容易に発明をすることができたものであるから、本願発明も、同様の理由により、刊行物発明、周知技術及び技術常識に基づいて、当業者が容易に発明をすることができたものである。
　
４．むすび
　以上のとおり、本願発明は、刊行物発明、周知技術及び技術常識に基づいて、当業者が容易に発明をすることができたものである、特許法第２９条第２項の規定により特許をうけることができない。
　
　よって、結論のとおり審決する。